(57)【要約】【課題】複数の放送受信装置をネットワーク接続した場合に、待機時に緊急警報放送（ＥＷＳ）の受信精度を落とすことなく、個々の装置の待機時電力の低減を図る。【解決手段】放送受信システムは、待機時に緊急警報放送を受信する受信部を間欠的に動作させる複数の放送受信装置１ａ〜１ｃを備え、複数の放送受信装置１ａ〜１ｃがルータ１０を介してネットワーク接続されている。放送受信装置１ａは、待機状態に移行する際にネットワーク内の他の放送受信装置１ｂ，１ｃの間欠動作状態を取得し、取得した他の放送受信装置１ｂ，１ｃの間欠動作状態に基づいて放送受信装置１ａ及び他の放送受信装置１ｂ，１ｃの間欠動作の周期及びタイミングを調整する。【選択図】図２
2014049913.tif 000002
【特許請求の範囲】
【請求項１】
待機時に緊急警報放送を受信する受信部を間欠的に動作させる複数の放送受信装置を備え、該複数の放送受信装置がネットワークを介して接続された放送受信システムであって、
前記放送受信装置は、待機状態に移行する際に前記ネットワーク内の他の放送受信装置の間欠動作状態を取得する間欠動作状態取得部と、該間欠動作状態取得部により取得された前記他の放送受信装置の間欠動作状態に基づいて前記放送受信装置及び前記他の放送受信装置の間欠動作の周期及びタイミングを調整する間欠動作制御部とを備えたことを特徴とする放送受信システム。
【請求項２】
請求項１に記載の放送受信システムにおいて、前記間欠動作状態取得部は、前記間欠動作状態として、前記他の放送受信装置の個数を取得し、前記間欠動作制御部は、前記間欠動作状態取得部により取得された前記他の放送受信装置の個数に前記放送受信装置の１個分を加算した全個数に応じて前記放送受信装置及び前記他の放送受信装置の間欠動作の周期を調整することを特徴とする放送受信システム。
【請求項３】
請求項２に記載の放送受信システムにおいて、前記放送受信装置及び前記他の放送受信装置の間欠動作の周期は、各放送受信装置に予め設定された周期初期値に、前記全個数を乗じたものであることを特徴とする放送受信システム。
【請求項４】
請求項３に記載の放送受信システムにおいて、前記間欠動作制御部は、前記放送受信装置の間欠動作のタイミングと、前記他の放送受信装置の間欠動作のタイミングとが互いに重ならないように調整し、調整後の前記他の放送受信装置の間欠動作のタイミング及び周期を、該他の放送受信装置に通知することを特徴とする放送受信システム。
【請求項５】
請求項４に記載の放送受信システムにおいて、前記他の放送受信装置の間欠動作のタイミングは、前記調整後の周期の前記全個数分の１ずつずれるように調整されることを特徴とする放送受信システム。
【請求項６】
請求項４または５に記載の放送受信システムにおいて、前記ネットワーク内のいずれかの放送受信装置が待機状態から復帰する際に、該放送受信装置の間欠動作制御部は、前記ネットワーク内で待機状態にある他の放送受信装置の間欠動作を停止させることを特徴とする放送受信システム。
【請求項７】
請求項４または５に記載の放送受信システムにおいて、前記ネットワーク内のいずれかの放送受信装置が待機状態から復帰する際に、該放送受信装置の間欠動作制御部は、前記ネットワーク内の他の放送受信装置の間欠動作のタイミング及び周期を再調整し、再調整後の前記他の放送受信装置の間欠動作のタイミング及び周期を、該他の放送受信装置に通知した後に、前記放送受信装置の間欠動作を停止することを特徴とする放送受信システム。
【請求項８】
請求項７に記載の放送受信システムにおいて、前記他の放送受信装置の間欠動作のタイミング及び周期は、周期が前記他の放送受信装置の個数に応じて再調整され、且つ、タイミングが前記再調整後の周期の前記他の放送受信装置の個数分の１ずつずれるように再調整されることを特徴とする放送受信システム。
【請求項９】
請求項１〜８のいずれか１項に記載の放送受信システムを構成する放送受信装置。
【発明の詳細な説明】
【技術分野】
【０００１】
本発明は、放送受信システムおよび放送受信装置に関し、より詳細には、待機時に緊急警報放送を受信する放送受信システムおよび該システムを構成する放送受信装置に関する。
【背景技術】
【０００２】
従来、テレビ等の放送受信装置においては、緊急警報放送（ＥＷＳ：Emergency Warning System、以下、ＥＷＳという）を受信するために、放送のＴＭＣＣ（Transmission and Multiplexing Configuration and Control）信号に含まれる緊急警報放送用起動フラグの監視を行っている。地震等の災害は、いつ発生するか分からないため、放送受信装置がスタンバイ（待機）時にも、チューナ（および復調器）を動作させ、ＥＷＳを受信できるようにしている。しかしながら、待機時にＥＷＳを受信する場合、待機時電力の増大が問題となる。このため、待機時電力の低減を目的として、間欠的にチューナを動作させ、緊急警報放送用起動フラグの監視を行うことが行われている。
【０００３】
例えば、特許文献１には、間欠的にチューナを動作させ、ＥＷＳを受信する移動受信装置が記載されている。この移動受信装置によれば、バッテリ残量を検出し、検出したバッテリ残量に応じて、デジタル放送のＴＭＣＣ信号から起動フラグを検出する検出タイミングの間隔を制御する。すなわち、バッテリ残量が多い場合には起動フラグの検出タイミングの間隔を短くし、バッテリ残量が少ない場合には起動フラグの検出タイミングの間隔を長くすることで、バッテリの消耗を抑えるようにしている。
【先行技術文献】
【特許文献】
【０００４】
【特許文献１】特開２００９−８９１０３号公報
【発明の概要】
【発明が解決しようとする課題】
【０００５】
ところで、最近では、固定型テレビのみならず、テレビチューナを備えたスマートフォンなどの携帯端末が普及しており、１つの家庭内でネットワークを介して複数の放送受信装置を接続して使用することがめずらしくなくなってきた。例えば、ネットワーク内に複数の放送受信装置（以下、機器Ａ，Ｂという）が存在し、これらの機器Ａ，ＢによりＥＷＳ受信を行う場合について想定する。従来構成では、機器Ａ，Ｂそれぞれが一定周期（通常周期）で間欠動作を行うことになるが、機器Ａ，Ｂの動作タイミングは管理されていないため、動作タイミングが重なってしまう場合があった。
【０００６】
これに対して、機器Ａ，Ｂの間欠動作の周期を調整し（例えば、通常周期の２倍とする）、機器Ａ，Ｂの間欠動作のタイミングを交互にすることが考えられる。これにより、機器Ａ，Ｂのいずれか１台による通常周期の場合と比べ、ＥＷＳ受信精度を落とさずに、個々の機器における待機時電力の低減を図ることが可能となる。
【０００７】
しかしながら、特許文献１に記載の発明は、バッテリ残量に応じて間欠動作のタイミングを調整しているに過ぎず、この特許文献１をはじめとする従来技術では、上記のように、複数の機器をネットワーク接続した場合に間欠動作の周期やタイミングを調整するという考え方は開示されていない。
【０００８】
本発明は、上述のような実情に鑑みてなされたもので、複数の放送受信装置をネットワーク接続した場合に、待機時に緊急警報放送（ＥＷＳ）の受信精度を落とすことなく、個々の装置の待機時電力の低減を図ることができる放送受信システムおよび該システムを構成する放送受信装置を提供することを目的とする。
【課題を解決するための手段】
【０００９】
上記課題を解決するために、本発明の第１の技術手段は、待機時に緊急警報放送を受信する受信部を間欠的に動作させる複数の放送受信装置を備え、該複数の放送受信装置がネットワークを介して接続された放送受信システムであって、前記放送受信装置は、待機状態に移行する際に前記ネットワーク内の他の放送受信装置の間欠動作状態を取得する間欠動作状態取得部と、該間欠動作状態取得部により取得された前記他の放送受信装置の間欠動作状態に基づいて前記放送受信装置及び前記他の放送受信装置の間欠動作の周期及びタイミングを調整する間欠動作制御部とを備えたことを特徴としたものである。
【００１０】
第２の技術手段は、第１の技術手段において、前記間欠動作状態取得部は、前記間欠動作状態として、前記他の放送受信装置の個数を取得し、前記間欠動作制御部は、前記間欠動作状態取得部により取得された前記他の放送受信装置の個数に前記放送受信装置の１個分を加算した全個数に応じて前記放送受信装置及び前記他の放送受信装置の間欠動作の周期を調整することを特徴としたものである。
【００１１】
第３の技術手段は、第２の技術手段において、前記放送受信装置及び前記他の放送受信装置の間欠動作の周期は、各放送受信装置に予め設定された周期初期値に、前記全個数を乗じたものであることを特徴としたものである。
【００１２】
第４の技術手段は、第３の技術手段において、前記間欠動作制御部は、前記放送受信装置の間欠動作のタイミングと、前記他の放送受信装置の間欠動作のタイミングとが互いに重ならないように調整し、調整後の前記他の放送受信装置の間欠動作のタイミング及び周期を、該他の放送受信装置に通知することを特徴としたものである。
【００１３】
第５の技術手段は、第４の技術手段において、前記他の放送受信装置の間欠動作のタイミングは、前記調整後の周期の前記全個数分の１ずつずれるように調整されることを特徴としたものである。
【００１４】
第６の技術手段は、第４または第５の技術手段において、前記ネットワーク内のいずれかの放送受信装置が待機状態から復帰する際に、該放送受信装置の間欠動作制御部は、前記ネットワーク内で待機状態にある他の放送受信装置の間欠動作を停止させることを特徴としたものである。
【００１５】
第７の技術手段は、第４または第５の技術手段において、前記ネットワーク内のいずれかの放送受信装置が待機状態から復帰する際に、該放送受信装置の間欠動作制御部は、前記ネットワーク内の他の放送受信装置の間欠動作のタイミング及び周期を再調整し、再調整後の前記他の放送受信装置の間欠動作のタイミング及び周期を、該他の放送受信装置に通知した後に、前記放送受信装置の間欠動作を停止することを特徴としたものである。
【００１６】
第８の技術手段は、第７の技術手段において、前記他の放送受信装置の間欠動作のタイミング及び周期は、周期が前記他の放送受信装置の個数に応じて再調整され、且つ、タイミングが前記再調整後の周期の前記他の放送受信装置の個数分の１ずつずれるように再調整されることを特徴としたものである。
【００１７】
第９の技術手段は、第１〜第８のいずれか１の技術手段における放送受信システムを構成する放送受信装置を特徴としたものである。
【発明の効果】
【００１８】
本発明によれば、複数の放送受信装置をネットワーク接続した場合に、待機状態に移行する放送受信装置が他の放送受信装置の間欠動作状態を取得し、取得した他の放送受信装置の間欠動作状態に基づいて放送受信装置及び他の放送受信装置の間欠動作の周期及びタイミングを調整することができるため、待機時に緊急警報放送（ＥＷＳ）の受信精度を落とすことなく、個々の装置の待機時電力の低減を図ることができる。
【図面の簡単な説明】
【００１９】
【図１】本発明による放送受信装置の要部構成例を示すブロック図である。
【図２】本発明による放送受信システムの構成例を示す図である。
【図３】本発明による放送受信装置の間欠動作の周期及びタイミングの調整例を説明するための図である。
【図４】図２に示す放送受信システムでいずれかの放送受信装置が待機状態に移行する際の動作例を説明するためのフロー図である。
【図５】図２に示す放送受信システムでいずれかの放送受信装置が待機状態から復帰する際の動作例を説明するためのフロー図である。
【図６】本発明の第１の参考例に係る放送受信システムの構成例を示す図である。
【図７】図６に示す放送受信システムを構成するテレビＡ，Ｂの動作例を説明するための図である。
【図８】本発明の第２の参考例に係る放送受信システムの構成例を示す図である。
【図９】図８に示す放送受信システムを構成する携帯端末Ａ′の動作例を説明するためのフロー図である。
【図１０】本発明の第３の参考例に係る放送受信システムの構成例を示す図である。
【図１１】図１０に示す放送受信システムを構成する携帯端末Ａ′の動作例を説明するためのフロー図である。
【発明を実施するための形態】
【００２０】
以下、添付図面を参照しながら、本発明の放送受信システムおよび該システムを構成する放送受信装置に係る好適な実施の形態について説明する。
【００２１】
図１は、本発明による放送受信装置の要部構成例を示すブロック図で、図中、１は放送受信装置を示す。放送受信装置１は、アンテナ２を介してデジタル放送信号を受信するチューナ３と、チューナ３で受信されたデジタル放送信号を復調して映像及び音声を抽出する復調部４と、復調部４で抽出された映像及び音声に所定の処理（映像処理・音声処理）を施す映像・音声制御部５と、映像を出力する映像出力部６と、音声を出力する音声出力部７と、待機（スタンバイモード）時にチューナ３および復調部４を間欠的に動作させるためのマイコン８と、無線または有線を介して他の放送受信装置とネットワーク接続するための通信インターフェイス（通信Ｉ／Ｆ）９とを備える。なお、チューナ３および復調部４は、本発明の受信部に相当する。
【００２２】
放送受信装置１は、待機時にチューナ３（及び復調部４）を間欠的に動作（以下では単に間欠動作という）させ、前述の緊急警報放送（ＥＷＳ）を受信する機能を備える。なお、待機時においてもマイコン８には通電されており、必要に応じてマイコン８が動作指示することで、チューナ３、復調部４、及び通信Ｉ／Ｆ９に通電しこれら各部を動作させることができる。
【００２３】
本発明の主たる目的は、複数の放送受信装置をネットワーク接続した場合に、待機時にＥＷＳの受信精度を落とすことなく、個々の装置の待機時電力の低減を図ることにある。このための構成として、放送受信装置１は、待機状態に移行する際にネットワーク内の他の放送受信装置の間欠動作状態を取得する間欠動作状態取得部８１と、間欠動作状態取得部８１により取得された他の放送受信装置の間欠動作状態に基づいて放送受信装置１及び他の放送受信装置の間欠動作の周期及びタイミングを調整する間欠動作制御部８２とを備える。これら間欠動作状態取得部８１及び間欠動作制御部８２は、マイコン８の一機能として実現される。
【００２４】
以下では、本発明による放送受信装置として、チューナ機能を備えたテレビ装置あるいは携帯端末（スマートフォンなど）を例示して説明するが、チューナ機能を備えたＨＤＤ（Hard Disk Drive）レコーダ、ＢＤ（Blu-ray Disc）／ＤＶＤ（Digital Versatile Disc）レコーダなどであってもよい。また、これらの放送受信装置の基本的な構成は同様であるが、携帯端末の場合、バッテリを内蔵しているものとする。
【００２５】
図２は、本発明による放送受信システムの構成例を示す図である。図中、１ａ〜１ｃは放送受信装置、１０は有線または無線のルータを示す。複数の放送受信装置１ａ〜１ｃは、ルータ１０を介してネットワーク接続されており、相互に通信可能な状態にある。本例の場合、放送受信装置１ａ，１ｂはテレビ装置（以下、テレビＡ，Ｂともいう）であり、放送受信装置１ｃはスマートフォンなどの携帯端末（以下、携帯端末Ｃともいう）である。これらテレビＡ，Ｂ、及び携帯端末Ｃは共に、図１の装置構成を備えている。
【００２６】
図３は、本発明による放送受信装置の間欠動作の周期及びタイミングの調整例を説明するための図である。本例は、図２のシステム構成（テレビＡ，テレビＢ、携帯端末Ｃ）に基づいて説明するものとする。図３（Ａ）に示すように、テレビＡは通常の動作状態にあり、ＥＷＳ受信のための間欠動作を停止している。また、テレビＢ及び携帯端末Ｃはスタンバイ状態にあり、ＥＷＳ受信のために周期Ｔで間欠動作を行っている。なお、テレビＢ及び携帯端末Ｃは、説明の便宜上、間欠動作の周期及びタイミングが調整される前のデフォルト状態とする。
【００２７】
ここで、テレビＡが通常動作状態からスタンバイ状態に移行する場合について想定する。テレビＡ（間欠動作状態取得部８１）は、ネットワーク内の他のテレビＢ及び携帯端末Ｃの間欠動作状態を取得する。間欠動作状態を取得する方法の具体例としては、テレビＡがテレビＢ，携帯端末Ｃそれぞれにアクセスし、これらの機器が間欠動作しているか否かを示す情報を取得する方法、あるいは、テレビＢ，携帯端末ＣがテレビＡのスタンバイ状態への移行を検知し、テレビＢ，携帯端末ＣからテレビＡに間欠動作しているか否かを示す情報を通知する方法、などが考えられる。間欠動作しているか否かを示す情報としては、例えば、各機器に間欠動作状態フラグを設定することが考えられる。この間欠動作状態フラグが“１”であれば、間欠動作状態と判定し、間欠動作状態フラグ“０”であれば、間欠動作停止状態（つまり、通常動作状態）と判定することができる。なお、このときテレビＡは、テレビＢ及び携帯端末Ｃの間欠動作の周期、タイミングを取得するようにしてもよい。
【００２８】
そして、テレビＡ（間欠動作制御部８２）は、取得したテレビＢ及び携帯端末Ｃの間欠動作状態に基づいてテレビＡ、テレビＢ、及び携帯端末Ｃの間欠動作の周期及びタイミングを調整する。具体的には、間欠動作状態取得部８１は、上記の間欠動作状態フラグの判定結果に基づいて、ネットワーク内で間欠動作中の他の放送受信装置の個数を取得する。本例の場合、他の放送受信装置として、テレビＢ及び携帯端末Ｃの２つの機器がネットワーク接続され、両方共に間欠動作状態フラグが“１”であるため、間欠動作中の他の機器が２個とカウントされる。間欠動作制御部８２は、間欠動作状態取得部８１により取得された他の機器の個数（本例の場合、２個）にテレビＡの１個分を加算した全個数（本例の場合、３個）に応じてテレビＡ、テレビＢ、及び携帯端末Ｃの間欠動作の周期を調整する。
【００２９】
具体的には、テレビＡ、テレビＢ、及び携帯端末Ｃの間欠動作の周期は、各装置に予め設定された周期初期値（周期Ｔ）に、全個数（本例の場合、「３」）を乗じて決定される。なお、周期初期値（周期Ｔ）とは、テレビＡ、テレビＢ、及び携帯端末Ｃに予め設定されている値であり、それぞれ単独で間欠動作する場合に使用される設定値である。この周期初期値（周期Ｔ）は、テレビＡ、テレビＢ、及び携帯端末Ｃで必ずしも同じ値でなくてもよいが、タイミング調整を容易にするために、テレビＡ、テレビＢ、及び携帯端末Ｃで同じ値であることが望ましい。
【００３０】
図３（Ｂ）において、間欠動作制御部８２は、テレビＡ、テレビＢ、及び携帯端末Ｃの間欠動作の周期を、“３Ｔ”（周期初期値Ｔ×全個数３＝３Ｔ）に調整し、さらに、テレビＡの間欠動作のタイミングと、テレビＢ，携帯端末Ｃの間欠動作のタイミングとが互いに重ならないように調整し、調整後のテレビＢ，携帯端末Ｃの間欠動作のタイミング及び周期を、テレビＢ，携帯端末Ｃそれぞれに通知する。そして、テレビＢ，携帯端末Ｃそれぞれは、テレビＡから通知された間欠動作のタイミング及び周期に従って、チューナ（及び復調部）の間欠動作を行う。なお、テレビＡも上記通知後に待機状態に移行し、チューナ（及び復調部）の間欠動作を行う。
【００３１】
ここで、テレビＢ，携帯端末Ｃの間欠動作のタイミングは、調整後の周期の全個数分の１ずつずれるように調整されることが望ましい。すなわち、本例では、調整後の周期が３Ｔ、全個数が３であるから、調整後の周期の全個数分の１は、３Ｔの１／３で、Ｔとなる。この場合、図３（Ｂ）に示すように、テレビＡの間欠動作のタイミングに対して、時間Ｔだけずれて、テレビＢの間欠動作のタイミングが設定され、さらに、テレビＢの間欠動作のタイミングに対して、時間Ｔだけずれて、携帯端末Ｃの間欠動作のタイミングが設定される。
【００３２】
次に、図３（Ｃ）に基づいて、ネットワーク内のいずれかの放送受信装置が待機状態から復帰する場合について説明する。なお、本例では、テレビＡを待機状態から復帰させた場合を例示して説明するが、テレビＢあるいは携帯端末Ｃが復帰する場合も同様である。ここで、基本的に、ネットワーク内の１つの放送受信装置が動作状態に復帰すれば、待機状態にある他の放送受信装置を間欠動作させる必要はないものと考えられる。従って、この場合、テレビＡの間欠動作制御部８２は、ネットワーク内で待機状態にあるテレビＢ，携帯端末Ｃの間欠動作を停止させる。つまり、テレビＡが、テレビＢ，携帯端末Ｃに対して、間欠動作の停止を指示し、この指示に従って、テレビＢ，携帯端末Ｃが待機状態のまま間欠動作を停止させる。テレビＡは、テレビＢ，携帯端末Ｃに間欠動作停止指示を行った後に、テレビＡの間欠動作を停止し、通常の動作状態に移行する。また、別の例として、テレビＡの間欠動作制御部８２は、待機状態から復帰する際にネットワーク内の他のテレビＢ，携帯端末Ｃの間欠動作のタイミング及び周期を再調整し、再調整後のテレビＢ，携帯端末Ｃの間欠動作のタイミング及び周期を、テレビＢ，携帯端末Ｃそれぞれに通知した後に、テレビＡの間欠動作を停止するようにしてもよい。
【００３３】
ここで、他の放送受信装置（ここではテレビＢ，携帯端末Ｃ）の間欠動作のタイミング及び周期は、周期が他の放送受信装置の個数に応じて再調整され、且つ、タイミングが再調整後の周期の他の放送受信装置の個数分の１ずつずれるように再調整されることが望ましい。例えば、図３（Ｃ）に示すように、再調整後の周期は、他の放送受信装置の個数が２であるから、これを周期初期値Ｔに乗じて、２Ｔとなる。そして、再調整後の周期が２Ｔ、他の放送受信装置の個数が２であるから、再調整後の周期の他の放送受信装置の個数分の１は、２Ｔの１／２で、Ｔとなる。この場合、テレビＡの間欠動作は停止され、テレビＢの間欠動作のタイミングに対して、時間Ｔだけずれて、携帯端末Ｃの間欠動作のタイミングが設定される。
【００３４】
このように、ネットワーク接続された複数の放送受信装置において、待機状態に移行してＥＷＳ受信のためにチューナ（及び復調部）の間欠動作を行う装置、あるいは、待機状態から復帰して間欠動作を停止する装置がマスターとなり、他の装置の間欠動作の周期及びタイミングを調整する。なお、待機状態から復帰して間欠動作を停止する装置がマスターとなる場合、待機状態にある他の装置の間欠動作を停止させるように制御することもできる。そして、調整後の間欠動作の周期及びタイミングはマスターとなった装置から他の装置に通知されるため、システム全体として、効率的にＥＷＳを受信することができ、個々の装置の消費電力を抑制することができる。
【００３５】
図４は、図２に示す放送受信システムでいずれかの放送受信装置が待機状態に移行する際の動作例を説明するためのフロー図である。本例では、放送受信装置１ａ（テレビＡ）が待機状態に移行する際の動作例について説明するが、他の放送受信装置１ｂ，１ｃ（テレビＢ，携帯端末Ｃ）が待機状態に移行する場合も同様である。まず、放送受信装置１ａは、待機状態（スタンバイモード）に移行するか否かを判定し（ステップＳ１）、待機状態に移行すると判定した場合（ＹＥＳの場合）、ネットワーク内の他の放送受信装置１ｂ，１ｃの間欠動作状態を取得する（ステップＳ２）。また、ステップＳ１において、待機状態に移行しないと判定した場合（ＮＯの場合）、ステップＳ１での処理を繰り返す。
【００３６】
次に、放送受信装置１ａは、ステップＳ２で取得した他の放送受信装置１ｂ，１ｃの間欠動作状態に基づいて、放送受信装置１ａ及び他の放送受信装置１ｂ，１ｃの間欠動作の周期を調整する（ステップＳ３）。そして、放送受信装置１ａは、放送受信装置１ａの間欠動作のタイミングと、他の放送受信装置１ｂ，１ｃの間欠動作のタイミングとが互いに重ならないように調整し（ステップＳ４）、調整後の他の放送受信装置１ｂ，１ｃの間欠動作のタイミング及び周期を、他の放送受信装置１ｂ，１ｃそれぞれに通知する（ステップＳ５）。なお、ステップＳ３，Ｓ４での周期及びタイミングの調整方法は、前述の図３で説明した通りであり、ここでの繰り返しの説明は省略する。
【００３７】
次に、他の放送受信装置１ｂ，１ｃそれぞれは、放送受信装置１ａから通知された間欠動作のタイミング及び周期に従って、チューナ（及び復調部）の間欠動作を行う。そして、放送受信装置１ａは、上記通知後に待機状態に移行し、チューナ（及び復調部）の間欠動作を行う（ステップＳ６）。
【００３８】
図５は、図２に示す放送受信システムでいずれかの放送受信装置が待機状態から復帰する際の動作例を説明するためのフロー図である。本例では、放送受信装置１ａ（テレビＡ）が待機状態から復帰する際の動作例について説明するが、他の放送受信装置１ｂ，１ｃ（テレビＢ，携帯端末Ｃ）が待機状態から復帰する場合も同様である。まず、放送受信装置１ａは、待機状態（スタンバイモード）から復帰するか否かを判定し（ステップＳ１１）、待機状態から復帰すると判定した場合（ＹＥＳの場合）、ネットワーク内の他の放送受信装置１ｂ，１ｃの間欠動作のタイミング及び周期を再調整する（ステップＳ１２）。また、ステップＳ１１において、待機状態から復帰しないと判定した場合（ＮＯの場合）、ステップＳ１１での処理を繰り返す。なお、ステップＳ１２での周期及びタイミングの再調整方法は、前述の図３で説明した通りであり、ここでの繰り返しの説明は省略する。
【００３９】
次に、放送受信装置１ａは、再調整後の他の放送受信装置１ｂ，１ｃの間欠動作のタイミング及び周期を、他の放送受信装置１ｂ，１ｃそれぞれに通知する（ステップＳ１３）。他の放送受信装置１ｂ，１ｃそれぞれは、放送受信装置１ａから通知された間欠動作のタイミング及び周期に従って、チューナ（及び復調部）の間欠動作を行う。そして、放送受信装置１ａは、上記通知後に待機状態から復帰し、チューナ（及び復調部）の間欠動作を停止する（ステップＳ１４）。
【００４０】
このように、複数の放送受信装置をネットワーク接続した場合に、待機状態に移行する放送受信装置が他の放送受信装置の間欠動作状態を取得し、取得した他の放送受信装置の間欠動作状態に基づいて放送受信装置及び他の放送受信装置の間欠動作の周期及びタイミングを調整することができるため、待機時に緊急警報放送（ＥＷＳ）の受信精度を落とすことなく、個々の装置の待機時電力の低減を図ることができる。
【００４１】
これまで本発明の放送受信システムに係る好適な実施例について説明してきたが、以下では本発明の放送受信システムに係る参考例について説明する。
【００４２】
図６は、本発明の第１の参考例に係る放送受信システムの構成例を示す図である。本例では、放送受信装置１ａ，１ｂ（テレビＡ，Ｂ）がルータ１０を介してネットワーク接続されている。図７は、図６に示す放送受信システムを構成するテレビＡ，Ｂの動作例を説明するための図である。図７（Ａ）において、テレビＢが待機状態にあり、間欠的にＥＷＳ受信動作を行っているものとする。そして、テレビＡが通常動作状態から待機状態に移行する場合、デフォルト状態では間欠動作のタイミング調整が行われていないため、テレビＡ，Ｂで間欠動作のタイミングが重なってしまう場合がある。
【００４３】
これを回避するために、図７（Ｂ）に示すように、テレビＡは、テレビＢの間欠動作の周期及びタイミングを取得し、例えば、テレビＢと同じ周期で、タイミングを半周期分ずらすように、テレビＡの周期及びタイミングを調整する。これにより、ネットワーク内の２つの機器により間欠動作の周期が半分となり、ＥＷＳの受信精度を向上させることができる。なお、テレビＢの間欠動作のタイミングが変更された場合には、テレビＡがテレビＢの変更後の間欠動作のタイミングを取得し、テレビＢの変更後の間欠動作のタイミングに基づいて、テレビＡの間欠動作のタイミングを適宜変更すればよい。
【００４４】
図８は、本発明の第２の参考例に係る放送受信システムの構成例を示す図である。本例では、放送受信装置１ａ′，１ｂ（携帯端末Ａ′，テレビＢ）がルータ１０を介してネットワーク接続されている。図９は、図８に示す放送受信システムを構成する携帯端末Ａ′の動作例を説明するためのフロー図である。まず、携帯端末Ａ′は、待機状態（スタンバイモード）に移行するか否かを判定し（ステップＳ２１）、待機状態に移行すると判定した場合（ＹＥＳの場合）、ネットワーク内に間欠動作中の他の機器があるか否かを判定する（ステップＳ２２）。また、ステップＳ２１において、待機状態に移行しないと判定した場合（ＮＯの場合）、ステップＳ２１での処理を繰り返す。
【００４５】
次に、ステップＳ２２において、携帯端末Ａ′は、ネットワーク内に間欠動作中の他の機器（ここでは、テレビＢ）があると判定した場合（ＹＥＳの場合）、チューナ（及び復調部）の間欠動作を停止する（ステップＳ２３）。そして、携帯端末Ａ′は、他の機器（テレビＢ）の間欠動作が停止しているか否かを判定する（ステップＳ２４）。携帯端末Ａ′は、ステップＳ２４において、他の機器（テレビＢ）の間欠動作が停止していないと判定した場合（ＮＯの場合）、ステップＳ２４で他の機器（テレビＢ）の間欠動作状態を監視する。また、ステップＳ２４において、他の機器（テレビＢ）の間欠動作が停止していると判定した場合（ＹＥＳの場合）、ステップＳ２５に移行する。
【００４６】
また、ステップＳ２２において、携帯端末Ａ′は、ネットワーク内に間欠動作中の他の機器がないと判定した場合（ＮＯの場合）、チューナ（及び復調部）の間欠動作を実行する（ステップＳ２５）。
【００４７】
このように、ネットワーク内にテレビＢが存在し、このテレビＢが待機状態で間欠動作を行っている場合には、テレビＢ側で間欠動作を行い、携帯端末Ａ′のチューナ（及び復調部）の間欠動作を停止させる。これにより、携帯端末Ａ′の間欠動作に伴うバッテリの消耗を抑えることができる。なお、携帯端末Ａ′は、テレビＢの間欠動作のタイミングに合わせて通信Ｉ／Ｆを動作させ、テレビＢが間欠動作を停止していないか監視する。そして、テレビＢの間欠動作が停止した場合には、携帯端末Ａ′がチューナ（及び復調部）を間欠動作させ、ＥＷＳを受信できる状態にする。
【００４８】
図１０は、本発明の第３の参考例に係る放送受信システムの構成例を示す図である。本例では、放送受信装置１ａ′，１ｂ′，１ｃ′（携帯端末Ａ′，Ｂ′，Ｃ′）がルータ１０を介してネットワーク接続されている。図１１は、図１０に示す放送受信システムを構成する携帯端末Ａ′の動作例を説明するためのフロー図である。まず、携帯端末Ａ′は、待機状態（スタンバイモード）に移行するか否かを判定し（ステップＳ３１）、待機状態に移行すると判定した場合（ＹＥＳの場合）、ネットワーク内機器（本例では、携帯端末Ｂ′，Ｃ′）のバッテリ残量を取得する（ステップＳ３２）。また、ステップＳ３１において、待機状態に移行しないと判定した場合（ＮＯの場合）、ステップＳ３１での処理を繰り返す。
【００４９】
次に、携帯端末Ａ′は、ステップＳ３２で取得した携帯端末Ｂ′，Ｃ′のバッテリ残量と、携帯端末Ａ′のバッテリ残量とを比較し（ステップＳ３３）、携帯端末Ａ′のバッテリ残量が最も多い場合（ＹＥＳの場合）、携帯端末Ａ′のチューナ（及び復調部）の間欠動作を実行すると共に、携帯端末Ｂ′，Ｃ′（他の放送受信装置）にチューナ（及び復調部）の間欠動作を停止するように通知を行い（ステップＳ３４）、ステップＳ３２に戻り処理を繰り返す。また、携帯端末Ａ′は、ステップＳ３３において、携帯端末Ａ′のバッテリ残量が少なく、携帯端末Ｂ′，Ｃ′のバッテリ残量が多い場合（ＮＯの場合）、携帯端末Ａ′のチューナ（及び復調部）の間欠動作を停止し（ステップＳ３５）、ステップＳ３２に戻り処理を繰り返す。
【００５０】
なお、ステップＳ３５では、携帯端末Ｂ′，Ｃ′のチューナ（及び復調部）の間欠動作が実行されていれば、そのまま処理が実行されるが、携帯端末Ｂ′，Ｃ′のチューナ（及び復調部）の間欠動作が停止している場合には、携帯端末Ａ′から携帯端末Ｂ′，Ｃ′にチューナ（及び復調部）の間欠動作を実行するように通知を行う。
【符号の説明】
【００５１】
１，１ａ〜１ｃ，１ａ′〜１ｃ′…放送受信装置、２…アンテナ、３…チューナ、４…復調部、５…映像・音声制御部、６…映像出力部、７…音声出力部、８…マイコン、９…通信ｉ／Ｆ、１０…ルータ、８１…間欠動作状態取得部、８２…間欠動作制御部。
【図１】
2014049913.tif 000003
【図２】
2014049913.tif 000004
【図３】
2014049913.tif 000005
【図４】
2014049913.tif 000006
【図５】
2014049913.tif 000007
【図６】
2014049913.tif 000008
【図７】
2014049913.tif 000009
【図８】
2014049913.tif 000010
【図９】
2014049913.tif 000011
【図１０】
2014049913.tif 000012
【図１１】
2014049913.tif 000013